(57)【要約】  【課題】ケーブルを使わず無線方式により、離れた作業船上から水中にある構造物や作業治具などの位置を簡単に、かつ短時間で精度良く測量を行い、既設構造体と新規構造体との位置関係をリアルタイムに把握し、新規構造体を所定の位置へ誘導して沈設することができるようにした構造体の沈設誘導方法を提供する。  【解決手段】無線方式により、既設構造体に設置された一対のトランスポンダＴ１、Ｔ２、又は、新規構造体に設置された一対のトランスポンダＴ３、Ｔ４によりトランスポンダＴ１、Ｔ２、Ｔ３、Ｔ４間の距離及び深度を測定してなる距離情報及び深度情報をコンピュータＰＣが取得し、それらの情報から水中にある新規構造体の位置をコンピューＰＣタがリアルタイムに把握し、既設構造体に対して新規構造体を誘導して、高精度な沈設を行う。【選択図】図１
2014198931.tif 000002
【特許請求の範囲】
【請求項１】
水中に沈められた既設構造体に対して新規に沈められる新規構造体の相対位置出しと誘導を行うための構造体の沈設誘導方法において、作業船に、一対のロッドと信号処理用のコンピュータＰＣとを設置し、該一対のロッドＲ１、Ｒ２のそれぞれ、下端側に信号を無線で送受信可能な送受波器Ｓ１、Ｓ２を、上端側にＧＰＳアンテナＧ１、Ｇ２を各々取り付け、かつ、前記既設構造体の一端側に一対のトランスポンダＴ１、Ｔ２を互いに実距離Ｌ１離して設置するとともに、該既設構造体と対向する前記新規構造体の一端側に一対のトランスポンダＴ３、Ｔ４を互いに実距離Ｌ２離して設置し、前記コンピュータＰＣが、ＧＰＳからの信号を前記ＧＰＳアンテナＧ１、Ｇ２を介して受けて取得される前記送受波器Ｓ１、Ｓ２の位置情報と、前記送受波器Ｓ１からの信号により取得される、前記トランスポンダＴ１、Ｔ２、Ｔ３、Ｔ４と前記送受波器Ｓ１との間の距離情報及び各トランスポンダＴ１、Ｔ２、Ｔ３、Ｔ４間の距離情報と、前記送受波器Ｓ２からの信号により取得される、前記トランスポンダＴ１、Ｔ２、Ｔ３、Ｔ４と前記送受波器Ｓ２との間の距離情報及び各トランスポンダＴ１、Ｔ２、Ｔ３、Ｔ４間の距離情報と、から水中にある前記新規構造体の位置を把握し、前記既設構造体に対して該新規構造体を誘導することを特徴とする構造体の沈設誘導方法。
【請求項２】
請求項１記載の構造体の沈設誘導方法により、前記新規構造体を前記既設構造体に対して接近させた後に、前記コンピュータＰＣが、前記既設構造体に設置された一対のトランスポンダＴ１、Ｔ２、又は、前記新規構造体に設置された一対のトランスポンダＴ３、Ｔ４により前記トランスポンダＴ１、Ｔ２、Ｔ３、Ｔ４間の距離及び深度を測定して前記送受波器Ｓ１、Ｓ２の少なくとも一方に送られる距離情報及び深度情報から水中にある前記新規構造体の位置を把握し、前記既設構造体に対して該新規構造体を隣接させることを特徴とする構造体の沈設誘導方法。
【請求項３】
前記コンピュータＰＣが、前記一対のトランスポンダＴ１、Ｔ２間の実距離Ｌ１と前記トランスポンダＴ１、Ｔ２間の測定距離とを比較し、前記送受波器Ｓ１、Ｓ２に送られる各種情報を補正することを特徴とする請求項２に記載の構造体の沈設誘導方法。
【請求項４】
前記コンピュータＰＣが、前記一対のトランスポンダＴ３、Ｔ４間の実距離Ｌ２と、前記トランスポンダＴ３、Ｔ４を介して得られる前記トランスポンダＴ３、Ｔ４間の測定距離とを比較し、前記送受波器Ｓ１、Ｓ２に送られる各種情報を補正することを特徴とする請求項３に記載の構造体の沈設誘導方法。
【請求項５】
前記各トランスポンダＴ１、Ｔ２、Ｔ３、Ｔ４に圧力計を設けて、各トランスポンダＴ１、Ｔ２、Ｔ３、Ｔ４の距離情報と同時に深度情報が取得できるようにしたことを特徴とする請求項１乃至４のいずれか１項に記載の構造体の沈設誘導方法。
【請求項６】
前記新規構造体の一端側に前記一対のトランスポンダＴ３、Ｔ４と同一平面上にトランスポンダＴ５を設け、前記送受波器Ｓ１、Ｓ２から前記トランスポンダＴ５に向けて音波を発射して、前記送受波器Ｓ１、Ｓ２と前記トランスポンダＴ５との距離情報と深度情報とを取得し、前記新規構造体の傾斜状態を把握することを特徴とする請求項１乃至５のいずれか１項に記載の構造体の沈設誘導方法。
【請求項７】
水中に沈められた既設構造体に対して新規に沈められる新規構造体の相対位置出しと誘導を行うための構造体の沈設誘導方法において、作業船に、一対のロッドと信号処理用のコンピュータＰＣとを設置し、該一対のロッドＲ１、Ｒ２の下端側に信号を無線で送受信可能な送受波器Ｓ１、Ｓ２を各々取り付け、かつ、前記既設構造体の一端側に一対のトランスポンダＴ１、Ｔ２を互いに距離Ｌ１離して設置するとともに、該既設構造体と対向する前記新規構造体の一端側に一対のトランスポンダＴ３，Ｔ４を互いに距離Ｌ２離して設置し、前記コンピュータＰＣが、前記既設構造体に設置された一対のトランスポンダＴ１、Ｔ２、又は、前記新規構造体に設置された一対のトランスポンダＴ３、Ｔ４により前記トランスポンダＴ１、Ｔ２、Ｔ３、Ｔ４間の距離及び深度を測定して前記送受波器Ｓ１、Ｓ２の少なくとも一方に送られる距離情報及び深度情報から水中にある前記新規構造体の位置を把握し、前記既設構造体に対して該新規構造体を隣接させることを特徴とする構造体の沈設誘導方法。
【発明の詳細な説明】
【技術分野】
【０００１】
本発明は構造体の沈設誘導方法に関するものであり、特に、水中に沈められた既設構造体と新たに沈める新規構造体との相対位置関係を計測して、既設構造体に対して新規構造体を近接誘導して沈設するための構造体の沈設誘導方法に関するものである。
【背景技術】
【０００２】
この種の技術は、例えば海中トンネルを構築する工事現場や、漁礁を形成するブロック等を海中に沈設する工事現場で使用される。
【０００３】
例えば、海底トンネルを構築する工事においては、多数の沈埋函を地上の工場で予め構築しておき、それを現場に運んで行く。１つ１つの沈埋函は、それ自体巨大な構造物であって、工事現場では沈埋函を１つずつ順に海底に沈ませ、これを互いに接合し、連続したトンネルを形成するようにしている。
【０００４】
その沈埋函を沈設する工法として、既設の沈埋函(以下、「既設沈埋函」という)上にコントロールタワー及びポンツーンを形成し、新規の沈埋函(以下、「新規沈埋函」という)のバラストタンクに注水をしながら、ポンツーン上のウインチ操作により新規沈埋函を沈降させ、ダイバーが既設沈埋函と新規沈埋函の間の距離を計るとともに、コントロールタワー上のウインチ操作で新規沈埋函を水平方向に移動させて既設沈埋函に接合させる工法が知られている(例えば、特許文献１参照)。
【０００５】
この方法では、大きな水深になると、コントロールタワーなども長くなり、また巨大な沈埋函の距離をダイバーが計測するのは難しく、負担も大きくなるので、精度の良い計測がしづらい。
【０００６】
そこで、別の沈設工法として、ＧＰＳ（全地球測位システム）を使用して作業船の位置をリアルタイムに測定しながら、その作業船により新規沈埋函を所定の位置まで移動させ、移動された位置で作業船からウインチなどを使用して水中(海中)へ吊り下げて海底に沈ませ、更に新規沈埋函に取り付けたＣＣＤカメラで既設沈埋函との位置を見ながら水平に移動させて、それを互いに接合する工法が知られている(例えば、特許文献２参照)。そのＣＣＤカメラと作業船の間は、ケーブルで接続されている。
【先行技術文献】
【特許文献】
【０００７】
【特許文献１】特開２００２−１３１５０号公報。
【特許文献２】特開２００４−４４３７２号公報。
【発明の概要】
【発明が解決しようとする課題】
【０００８】
しかしながら、ＧＰＳを使用して作業船の位置をリアルタイムに測定し、その作業船からウインチを使用して新規沈埋函、すなわち新規構造体を吊り下げて海底に沈ませる方法では、作業船から水中へ吊り下げられた新規構造体や作業治具などの位置は、潮流の影響を受けて作業船の位置から左右、前後にずれてしまう。また、水深が大きくなれば潮流の影響などで位置ズレも大きくなり、作業船の位置と吊り下げられた新規構造体や作業治具などの相対位置を正確に把握することが困難であった。さらに、ＣＣＤカメラと作業船との間をケーブルで接続しているので、大きな水深になるとケーブルも長くなり作業も面倒で、また水中の明るさも低下するので、ターゲットをカメラで捉えることが困難になるという問題点があった。
【０００９】
そこで、ケーブルを使わず無線方式により、離れた作業船上から水中にある構造物や作業治具などの位置を簡単に、かつ短時間で精度良く測量を行い、既設構造体と新規構造体との位置関係をリアルタイムに把握し、新規構造体を所定の位置へ誘導して沈設することができるようにした構造体の沈設誘導方法を提供するために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、水中に沈められた既設構造体に対して新規に沈められる新規構造体の相対位置出しと誘導を行うための構造体の沈設誘導方法において、作業船に、一対のロッドとＲ１、Ｒ２と信号処理用のコンピュータＰＣとを設置し、該一対のロッドＲ１、Ｒ２のそれぞれ、下端側に信号を無線で送受信可能な送受波器Ｓ１、Ｓ２を、上端側にＧＰＳアンテナＧ１、Ｇ２を各々取り付け、かつ、前記既設構造体の一端側に一対のトランスポンダＴ１、Ｔ２を互いに実距離Ｌ１離して設置するとともに、該既設構造体と対向する前記新規構造体の一端側に一対のトランスポンダＴ３、Ｔ４を互いに実距離Ｌ２離して設置し、前記コンピュータＰＣが、ＧＰＳからの信号を前記ＧＰＳアンテナＧ１、Ｇ２を介して受けて取得される前記送受波器Ｓ１、Ｓ２の位置情報と、前記送受波器Ｓ１からの信号により取得される、前記トランスポンダＴ１、Ｔ２、Ｔ３、Ｔ４と前記送受波器Ｓ１との間の距離情報及び各トランスポンダＴ１、Ｔ２、Ｔ３、Ｔ４間の距離情報と、前記送受波器Ｓ２からの信号により取得される、前記トランスポンダＴ１、Ｔ２、Ｔ３、Ｔ４と前記送受波器Ｓ２との間の距離情報及び各トランスポンダＴ１、Ｔ２、Ｔ３、Ｔ４間の距離情報と、から水中にある前記新規構造体の位置を把握し、前記既設構造体に対して該新規構造体を誘導する構造体の沈設誘導方法を提供する。
【００１１】
この方法によれば、無線方式により、ＧＰＳから取得される送受波器Ｓ１、Ｓ２の位置情報と、トランスポンダＴ１、Ｔ２、Ｔ３、Ｔ４と送受波器Ｓ１との間の距離情報及びトランスポンダＴ１、Ｔ２、Ｔ３、Ｔ４間の距離情報と、トランスポンダＴ１、Ｔ２、Ｔ３、Ｔ４と送受波器Ｓ２との間の距離情報及びトランスポンダＴ１、Ｔ２、Ｔ３、Ｔ４間の距離情報をコンピュータＰＣで取得し、それらの情報からコンピュータＰＣが水中にある新規構造体の位置をリアルタイムに把握し、既設構造体に対して新規構造体を誘導して隣接配置させることができる。
【００１２】
また、前記新規構造体を前記既設構造体に対して接近させた後に、前記コンピュータＰＣが、前記既設構造体に設置された一対のトランスポンダＴ１、Ｔ２、又は、前記新規構造体に設置された一対のトランスポンダＴ３、Ｔ４により前記トランスポンダＴ１、Ｔ２、Ｔ３、Ｔ４間の距離及び深度を測定して前記送受波器Ｓ１、Ｓ２の少なくとも一方に送られる距離情報及び深度情報から水中にある前記新規構造体の位置を把握し、前記既設構造体に対して該新規構造体を隣接配置させるようにすると、精度を更に向上させることができる(請求項２)。
【００１３】
また、前記コンピュータＰＣが、前記一対のトランスポンダＴ１、Ｔ２間の実距離Ｌ１と前記トランスポンダＴ１、Ｔ２間の測定距離とを比較し、前記送受波器Ｓ１、Ｓ２に送られる各種情報を補正すると、例えば海水の温度、比重の影響による誤差等を取り除いて、精度を更に向上させることができる(請求項３)。
【００１４】
また、前記コンピュータＰＣが、前記一対のトランスポンダＴ３、Ｔ４間の実距離Ｌ２と、前記トランスポンダＴ３、Ｔ４を介して得られる前記トランスポンダＴ３、Ｔ４間の測定距離とを比較し、前記送受波器Ｓ１、Ｓ２に送られる各種情報を補正すると、例えば海水の温度、比重の影響による誤差等を取り除いて、精度を更に向上させることができる(請求項４)。
【００１５】
また、前記各トランスポンダＴ１、Ｔ２、Ｔ３、Ｔ４に圧力計を設けて、各トランスポンダＴ１、Ｔ２、Ｔ３、Ｔ４の距離情報と同時に深度情報が取得できるようにすると、測距精度をより向上させることができる(請求項５)。
【００１６】
また、前記新規構造体の一端側に前記一対のトランスポンダＴ３、Ｔ４と同一平面上にトランスポンダＴ５を設け、前記送受波器Ｓ１、Ｓ２から前記トランスポンダＴ５に向けて音波を発射して、前記送受波器Ｓ１、Ｓ２と前記トランスポンダＴ５との距離情報と深度情報とを取得し、前記新規構造体の傾斜状態を把握するようすると、据付面が傾斜している場合でも、その傾斜に合わせて精度良く据え付けることが可能になる(請求項６)。
【００１７】
また、水中に沈められた既設構造体に対して新規構造体の相対位置出しと誘導を行うための構造体の沈設誘導方法において、作業船に、一対のロッドと信号処理用のコンピュータＰＣとを設置し、該一対のロッドＲ１、Ｒ２の下端側に信号を無線で送受信可能な送受波器Ｓ１、Ｓ２を各々取り付け、かつ、前記既設構造体の一端側に一対のトランスポンダＴ１、Ｔ２を互いに距離Ｌ１離して設置するとともに、該既設構造体と対向する前記新規構造体の一端側に一対のトランスポンダＴ３，Ｔ４を互いに距離Ｌ２離して設置し、前記コンピュータＰＣが、前記既設構造体に設置された一対のトランスポンダＴ１、Ｔ２、又は、前記新規構造体に設置された一対のトランスポンダＴ３、Ｔ４により前記トランスポンダＴ１、Ｔ２、Ｔ３、Ｔ４間の距離及び深度を測定して前記送受波器Ｓ１、Ｓ２の少なくとも一方に送られる距離情報及び深度情報から水中にある前記新規構造体の位置を把握し、前記既設構造体に対して該新規構造体を隣接させる構造体の沈設誘導方法を提供する。
【００１８】
この方法によれば、ケーブルを使わず無線方式により、既設構造体に設置された一対のトランスポンダＴ１、Ｔ２、又は、新規構造体に設置された一対のトランスポンダＴ３、Ｔ４によりトランスポンダＴ１、Ｔ２、Ｔ３、Ｔ４間の距離及び深度を測定してなる距離情報及び深度情報をコンピュータＰＣで取得し、それらの情報からコンピュータＰＣが水中にある新規構造体の位置をリアルタイムに把握し、既設構造体に対して新規構造体を誘導して、高精度な沈設を行うことができる。
【発明の効果】
【００１９】
本発明によれば、ケーブルを使わず無線方式により、コンピュータＰＣが既設構造体に対する新規構造体の位置を簡単、かつ高い精度で把握し、既設構造体に対して新規構造体を誘導して隣接した位置に簡単、かつ精度良く配置することができるので、接合精度を向上させることができるとともに、沈設に要するコストを低減でき、経済性を向上させることができる。
【図面の簡単な説明】
【００２０】
【図１】本発明に係る構造体の沈設誘導方法の第１の実施例を説明する作業船と既設構造体及び新規構造体等を模式的に示す斜視図である。
【図２】本発明に係る構造体の沈設誘導方法の第２の実施例を説明する作業船と既設構造体及び新規構造体等を模式的に示す斜視図である。
【発明を実施するための形態】
【００２１】
本発明は、ケーブルを使わず無線方式により、離れた作業船上から水中にある構造物や作業治具などの位置を簡単に、かつ短時間で精度良く測量を行い、既設構造体と新規構造体との位置関係をリアルタイムに把握し、新規構造体を所定の位置へ誘導して沈設することができるようにした構造体の沈設誘導方法を提供するという目的を達成するために、水中に沈められた既設構造体に対して新規に沈められる新規構造体の相対位置出しと誘導を行うための構造体の沈設誘導方法において、作業船に、一対のロッドＲ１、Ｒ２と信号処理用のコンピュータＰＣとを設置し、該一対のロッドＲ１、Ｒ２のそれぞれ、下端側に信号を無線で送受信可能な送受波器Ｓ１、Ｓ２を、上端側にＧＰＳアンテナＧ１、Ｇ２を各々取り付け、かつ、前記既設構造体の一端側に一対のトランスポンダＴ１、Ｔ２を互いに実距離Ｌ１離して設置するとともに、該既設構造体と対向する前記新規構造体の一端側に一対のトランスポンダＴ３、Ｔ４を互いに実距離Ｌ２離して設置し、前記コンピュータＰＣが、ＧＰＳからの信号を前記ＧＰＳアンテナＧ１、Ｇ２を介して受けて取得される前記送受波器Ｓ１、Ｓ２の位置情報と、前記送受波器Ｓ１からの信号により取得される、前記トランスポンダＴ１、Ｔ２、Ｔ３、Ｔ４と前記送受波器Ｓ１との間の距離情報及び各トランスポンダＴ１、Ｔ２、Ｔ３、Ｔ４間の距離情報と、前記送受波器Ｓ２からの信号により取得される、前記トランスポンダＴ１、Ｔ２、Ｔ３、Ｔ４と前記送受波器Ｓ２との間の距離情報及び各トランスポンダＴ１、Ｔ２、Ｔ３、Ｔ４間の距離情報と、から水中にある前記新規構造体の位置を把握し、前記既設構造体に対して該新規構造体を誘導するようにしたことにより実現した。
【００２２】
以下、本発明の実施形態による構造体の沈設誘導方法を、海底トンネルを構築する場合を一例として詳細に説明する。
【実施例】
【００２３】
図１は、本発明の実施形態に係る第１の実施例を説明する作業船と既設構造体及び新規構造体等を模式的に示す斜視図である。
【００２４】
図１において、海面１１上に浮かべられた１対の作業船１２Ａ、１２Ｂは、既に海底１３に沈設されている既設構造体としての既設沈埋函１４に対して、新たに接合される新規構造体としての新規沈埋函１５を、沈降用ウインチ１６、１６から各々繰り出されたワイヤ１７で吊り下げて工事現場まで運ぶものである。また、新規沈埋函１５が所定の位置まで移動されたら、既設沈埋函１４と新規沈埋函１５の間の距離を計りながらワイヤ１７を延ばして海底１３に沈めるとともに、既設沈埋函１４に対して新規沈埋函１５を誘導して隣接位置に沈設し、その後、既設沈埋函１４と新規沈埋函１５の間を固定して接合する。この作業を１つ１つの沈埋函について順に行い、連続したトンネルを形成するようになっている。なお、新規沈埋函１５を吊り下げる作業船１２Ａ、１２Ｂは１対とは限らず、一艘の場合も、あるいは３艘以上の場合もある。
【００２５】
本発明では、その既設沈埋函１４に対して新規沈埋函１５を誘導するための沈設誘導方法に係るもので、図１にはその沈設誘導方法を実施するためのシステム構成が示されている。なお、本例では、図１に示すように各沈埋函１４、１５が、前後方向に細長く延びる平板状のブロック形をしてなる場合として説明するが、この形状に限定されるものではない。
【００２６】
まず、図１に示すシステム構成において、既設沈埋函１４は、海上にあるとき、上面１４ａの後端部に、１対のトランスポンダＴ１、Ｔ２が互いに左右方向に離れて、また後端面１４ｂと平行に取り付けられ、そのトランスポンダＴ１とトランスポンダＴ２間の距離Ｌ１を実際に計測して、後述するコンピュータＰＣに記憶しておく。なお、１対のトランスポンダＴ１、Ｔ２の配置は、後端面１４ｂと必ずしも平行でなくてもよい。
【００２７】
一方、新規沈埋函１５には、同じく海上にあるとき、上面１５ａの前端部にトランスポンダＴ３，Ｔ４、Ｔ５を取り付け、後端部に上記１対のトランスポンダＴ１，Ｔ２を取り付けておく。なお、図１では、新規沈埋函１５側のトランスポンダＴ１、Ｔ２は図示を省略している。そして、トランスポンダＴ３、Ｔ４は互いに距離Ｌ２離れて新規沈埋函１５の前端面１５ｃと平行に取り付けられ、トランスポンダＴ５はトランスポンダＴ３から後方(後端面１５ｂ側)に距離Ｌ３離れて取り付けられている。また、１対のトランスポンダＴ３、Ｔ４の配置は、既設沈埋函１４の場合と同様に、前端面１５ｃと必ずしも平行でなくてもよい。そのトランスポンダＴ３とトランスポンダＴ４との間の距離Ｌ２及びトランスポンダＴ３とトランスポンダＴ５との間の距離Ｌ３は、海上にあるときに実際に計測されてコンピュータＰＣに記憶しておく。
【００２８】
前記新規沈埋函１５を吊り下げている前記１対の作業船１２Ａ、１２Ｂのうち、新規沈埋函１５の前端側を吊り下げている作業船１２Ａの前端面１２ａには、上下方向に延びる１対のロッドＲ１、Ｒ２がそれぞれ左右に分かれて取り付けられている。その各ロッドＲ１、Ｒ２の上端部は、作業船１２Ａより上方に突出し、下端部は水中(海中)に沈められている。そして、各ロッドＲ１、Ｒ２の上端部(空中部分)側にＧＰＳアンテナＧ１、Ｇ２が取り付けられ、下端部側には送受波器Ｓ１、Ｓ２が水中に沈められた状態で取り付けられている。
【００２９】
また、その作業船１２Ａ上には、前記コンピュータＰＣが船上処理装置と共に取り付けられている。このコンピュータＰＣには、ＧＰＳからの信号をＧＰＳアンテナＧ１、Ｇ２を介して受けて取得される送受波器Ｓ１、Ｓ２の位置情報と、送受波器Ｓ１からの信号により取得されるトランスポンダＴ１、Ｔ２、Ｔ３、Ｔ４と送受波器Ｓ１との間の距離情報及び各トランスポンダＴ１、Ｔ２、Ｔ３、Ｔ４間の距離情報と、送受波器Ｓ２からの信号により取得される、トランスポンダＴ１、Ｔ２、Ｔ３、Ｔ４と送受波器Ｓ２との間の距離情報及び各トランスポンダＴ１、Ｔ２、Ｔ３、Ｔ４間の距離情報等が各々入力され、これらの各情報を演算処理し、その結果から水中にある新規沈埋函１５の位置を把握し、既設沈埋函１４に対して新規沈埋函１５を誘導する指示を船上処理装置に与えることができるようになっている。また、船上処理装置では、その指示に従って作業船１２Ａ、１２Ｂの移動及び沈降用ウインチ１６等を操作し、既設沈埋函１４に対して新規沈埋函１５を隣接位置に沈め、既設沈埋函１４と新規沈埋函１５との接合ができるようになっている。
【００３０】
なお、各ロッドＲ１，Ｒ２及びＧＰＳアンテナＧ１、Ｇ２、送受波器Ｓ１、Ｓ２、コンピュータＰＣは、新規沈埋函１５を吊り下げている１対の作業船１２Ａと別の作業船に搭載される場合もある。
【００３１】
次に、このように構成されたシステムの動作を説明する。
【００３２】
前記トランスポンダＴ１、Ｔ２、Ｔ３、Ｔ４、Ｔ５は、深度を測定する目的で、圧力計（圧力より深度を求める）が組み込まれており、測定距離と同時に深度データを送受波器Ｓ１，Ｓ２に送信する。また、送受波器Ｓ１，Ｓ２から各トランスポンダＴ１、Ｔ２、Ｔ３、Ｔ４、Ｔ５間の距離及び各トランスポンダＴ１、Ｔ２、Ｔ３、Ｔ４、Ｔ５同士の距離をそれぞれ測定できる機能を有している。深度はトランスポンダＴ１、Ｔ２、Ｔ３、Ｔ４、Ｔ５内に内蔵された圧力計により測定している。この場合、事前に５台のトランスポンダＴ１、Ｔ２、Ｔ３、Ｔ４、Ｔ５の圧力計を同時に作業船１２Ａより吊り下げ、各深度でのキャリブレーションをしておく。
【００３３】
そして、測量をするに当たっては、まず、ＧＰＳを使用して、作業船１２Ａ上に取り付けられた送受波器Ｓ１，Ｓ２の位置座標Ｘ、Ｙ、Ｚを、ＧＰＳを求める。
【００３４】
新規沈埋函１５の位置の測量は、送受波器Ｓ１からトランスポンダＴ３，Ｔ４に向けて音波を発射し、送受波器Ｓ１とトランスポンダＴ３、Ｔ４間の音波の往復伝搬時間から船上処理装置で距離を求め、深度は各々のトランスポンダＴ３、Ｔ４が送受波器Ｓ１に送る。同時に、送受波器Ｓ２からトランスポンダＴ３，Ｔ４に向けて音波を発射し、送受波器Ｓ２とトランスポンダＴ３，Ｔ４間の音波の往復伝搬時間から船上処理装置で距離を求める。
【００３５】
また、これらのデータをコンピュータＰＣで処理することにより、水中にある新規沈埋函１５の正確な位置を把握することができる。そして、新規沈埋函１５と既設沈埋函１４の位置が把握できるので、新規沈埋函１５と既設沈埋函１４の相対位置を知ることができる。なお、新規沈埋函１５には、トランスポンダ３，Ｔ４，Ｔ５を取り付けることで新規沈埋函１５の姿勢を正確に把握することができ、海底１３での据付面が傾斜している場合でもその傾斜に合わせて据え付けることが可能である。
【００３６】
図２は、本発明の実施形態に係る第２の実施例を説明する作業船と既設構造体及び新規構造体等を概略的に示す斜視図である。この第２の実施例は、図１に示した第１実施例におけるシステムで使用された測量方法から更に精度を向上させるために改良された測量方法を使用したものである。すなわち、図１に示す第１の実施例では、ＧＰＳを使用して新規沈埋函１５と既設沈埋函１４の公共座標を求めているが、作業船１２Ａ、１２Ｂの前後・左右の傾斜が発生すると、送受波器Ｓ１、Ｓ２の平面Ｘ，Ｙ座標が傾斜により変わり、全体の位置精度が悪くなる欠点があった。
【００３７】
そこで、この第２実施例におけるシステムで使用される測量方法では、その欠点を解決するためになされたものであり、第１の実施例で使用していた送受波器Ｓ１、Ｓ２のＧＰＳによる測量は除外して、既設沈埋函１４上のトランスポンダＴ１，Ｔ２を基点とした測量方法を行うようにしたものである。そこで、図１に示したシステム構成と同じ構成部分には同一符号を付して重複説明は省略し、第１の実施例と異なる点について以下説明する。
【００３８】
図２において、既設沈埋函１４は海底１３に据えてある。トランスポンダＴ１、Ｔ２は固定点であり、距離Ｌ１、Ｌ２は既知の長さであり、新規沈埋函１５上のトランスポンダＴ３、Ｔ４、Ｔ５が浮遊点と考える。
【００３９】
トランスポンダＴ４により、トランスポンダＴ４とトランスポンダＴ２間の距離Ｌ４と深度、及び、トランスポンダＴ４とトランスポンダＴ１の距離Ｌ５と深度を測定し、その情報を送受波器Ｓ１に送信する。同様に、トランスポンダＴ３により、トランスポンダＴ３とトランスポンダＴ１間の距離と深度、及び、トランスポンダＴ３とトランスポンダＴ２の距離と深度を測定し、その情報を送受波器Ｓ１に送信する。また、随時、送受波器Ｓ１よりトランスポンダＴ４とトランスポンダＴ１の距離Ｌ５を測定し深度情報を得る。
【００４０】
そして、これらの測量情報をコンピュータＰＣで演算処理し、既設沈埋函１４及び新規沈埋函１５の相対位置を把握する。
【００４１】
ところで、既設沈埋函１４と新規沈埋函１５との間の距離を測定するには、深度（水圧）、トランスポンダＴ１、Ｔ２、Ｔ３、Ｔ４、Ｔ５の音波による往復伝搬距離が必要であり、その精度が問題となる。深度はトランスポンダＴ１、Ｔ２、Ｔ３、Ｔ４、Ｔ５内に内蔵された圧力計により測定している。事前に５台のトランスポンダＴ１、Ｔ２、Ｔ３、Ｔ４、Ｔ５の圧力計を同時に作業船１２Ａより吊り下げ、各深度でのキャリブレーションをしておくことにより解決できる。
【００４２】
しかし、距離は、音波の往復伝搬距離を測定しているので、海水の温度、比重等の影響を受けて誤差が生じるため、各トランスポンダＴ１、Ｔ２、Ｔ３、Ｔ４、Ｔ５でキャリブレーションをして誤差を取り除く。すなわち、トランスポンダＴ１、Ｔ２の実際の距離Ｌ１と水中でのＴ１，Ｔ２間の距離を比較することで、トランスポンダＴ１、Ｔ２、Ｔ３、Ｔ４、Ｔ５の計測距離を補正できる。また、Ｔ３，Ｔ４も同様に補正する。新規沈埋函１５は、最終的には既設沈埋函１５から数メートルの距離に接近するため、上記測量を接近したときに再度行い精度を高めることが可能である。
【００４３】
したがって、本発明の各実施例によれば、ケーブルを使わずに無線方式により、コンピュータＰＣが既設沈埋函１４と新規沈埋函１５の位置を簡単、かつ高い精度で把握し、既設沈埋函１４に対して新規沈埋函１５を誘導して隣接した位置に簡単、かつ精度良く配置することができるので、接合精度を向上させることができるとともに、沈設に要するコストを低減でき、経済性の向上が期待できる。
【００４４】
なお、本発明は海底トンネルを構築する場合を例に挙げて説明したが、これに限ることなく、海中に漁礁を形成するブロック等、水中に構造体を沈設する工事に、広く適用できるものである。
【００４５】
また、本発明は、本発明の精神を逸脱しない限り種々の改変を為すことができ、そして、本発明が該改変されたものに及ぶことは当然である。
【産業上の利用可能性】
【００４６】
本発明は、高精度な計測が可能で、水中における距離計測手段としても幅広く利用することができる。
【符号の説明】
【００４７】
１１      海面
１２Ａ、１２Ｂ  作業船
１２ａ    前端面
１３      海底
１４      既設沈埋函(既設構造体)
１４ａ    上面
１４ｂ    後端面
１５      新規沈埋函(新規構造体)
１５ａ    上面
１５ｂ    後端面
１５ｃ    前端面
１６      沈降用ウインチ
１７      ワイヤ
ＰＣ      コンピュータ
Ｔ１〜Ｔ５  トランスポンダ
Ｌ１  Ｔ１とＴ２間の距離
Ｌ２  Ｔ３とＴ４間の距離
Ｌ３  Ｔ３とＴ５間の距離
Ｌ４  Ｔ１とＴ３間の距離
Ｒ１、Ｒ２  ロッド
Ｇ１、Ｇ２  ＧＰＳアンテナ
Ｓ１、Ｓ２  送受波器
【図１】
2014198931.tif 000003
【図２】
2014198931.tif 000004